(57)【特許請求の範囲】
【請求項１】
台座に固定された垂直な支柱と、
前記支柱に設けられた支持部材と、
前記支持部材にほぼ水平な方向に移動可能に支持され、一端に顕微鏡取付け部を有する第１のアームと、
前記支持部材に水平方向に移動可能に支持され、前記第１のアームの一端と前記支持部材を挟んで反対側の先端に釣り合い錘が設けられた、前記第１のアームと別体の第２のアームとを備え、
前記釣り合い錘は、前記支持部材を支点とする前記顕微鏡取付け部側のモーメントとほぼ釣り合うモーメントが発生する重量を有し、
前記支持部材は、前記第１のアームの水平方向への移動に連動して前記第２のアームを前記第１のアームの移動方向と反対方向かつ前記第１のアームの移動量と同量だけ水平方向へ移動させる連動手段を有する
ことを特徴とする顕微鏡用架台。
【請求項２】
前記連動手段は歯車機構からなることを特徴とする請求項１記載の顕微鏡用架台。
【請求項３】
前記連動手段はリンク機構からなることを特徴とする請求項１記載の顕微鏡用架台。
【発明の詳細な説明】
【０００１】
【発明の属する技術分野】
この発明は、大型の試料を顕微鏡観察する場合や、広い作業スペースを必要とする顕微鏡観察の場合に顕微鏡を移動可能に支持する顕微鏡用架台に関する。
【０００２】
【従来の技術】
従来、この種の顕微鏡用架台としては、例えば、図４に示すもの、図５に示すもの、図６及び図７に示すものがそれぞれ知られている。
【０００３】
図４に示す顕微鏡用架台は、台座４０と、台座４０に固定された垂直な支柱４１と、先端に顕微鏡取付け装置４２を有する水平アーム４３と、支柱４１に設けられ、水平アーム４３を水平な方向に移動可能に支持する支持部材４４と、支持部材４４を任意の位置に保持するストッパ４５とを備える。顕微鏡取付け装置４２に顕微鏡４６が取り付けられている。支持部材４４は、支柱４１を中心に回転可能であり、かつストッパ４５のねじ４５ａを緩めた状態で、支柱４１に沿って上下方向に移動可能である。したがって、水平アーム４３を上下させ、支柱４１を中心に回転させ、かつ水平方向に移動させることにより、顕微鏡４６を試料に対して任意の位置に位置させることができる。また、台座４０を作業台上に置き、作業台上に置いた試料を顕微鏡４６により観察することができる。この従来技術では、水平アーム４３を図に示すように最も繰り出したときの顕微鏡側のモーメント（最大モーメント）Ｍにより顕微鏡用架台が転倒しないように、台座４０の重量を大きくしかつ台座４０を顕微鏡４６とは反対側への張出量を大きくして最大モーメントＭより十分大きなモーメントＭ´を発生させている。
【０００４】
図５に示す顕微鏡用架台では、顕微鏡側の最大モーメントＭにより顕微鏡用架台が転倒しないように、台座５０を顕微鏡４６側へ大きく張り出している。この従来技術では、台座５０を作業台上に置き、試料は台座５０上に置かれる。
【０００５】
図６及び図７に示す顕微鏡用架台では、顕微鏡側の最大モーメントＭにより顕微鏡用架台が転倒しないように、２本の補助脚６０ａ、６０ｂを台座６０から顕微鏡４６側へＶ字形に大きく張り出している。この従来技術では、台座６０を作業台上に置き、試料は補助脚６０ａ、６０ｂの間に置かれる。
【０００６】
【発明が解決しようとする課題】
しかしながら、図４に示す従来の顕微鏡用架台では、台座４０の重量を大きくしているので、顕微鏡用架台全体が重くなり、移動を前提としている顕微鏡用架台の移動が容易ではないという問題があった。
【０００７】
また、図５に示す従来の顕微鏡用架台では、試料を顕微鏡４６側へ大きく張り出した台座５０上に置くことになるので、試料の大きさが制限されるという問題があった。
【０００８】
また、図６及び図７に示す顕微鏡用架台では、２本の補助脚６０ａ、６０ｂを台座６０から顕微鏡４６側へＶ字形に大きく張り出しているので、顕微鏡用架台のための広い設置スペースが必要となるとともに、試料を補助脚６０ａ、６０ｂの間に置くことになるので、試料の大きさが制限されるという問題があった。
【０００９】
この発明はこのような事情に鑑みてなされたもので、その課題は移動が容易で、大きな試料を観察可能で、かつ設置スペースが小さくてすむ顕微鏡用架台を提供することである。
【００１０】
【課題を解決するための手段】
前述の課題を解決するため請求項１記載の発明に係る顕微鏡用架台は、台座に固定された垂直な支柱と、前記支柱に設けられた支持部材と、前記支持部材にほぼ水平な方向に移動可能に支持され、一端に顕微鏡取付け部を有する第１のアームと、前記支持部材に水平方向に移動可能に支持され、前記第１のアームの一端と前記支持部材を挟んで反対側の先端に釣り合い錘が設けられた、前記第１のアームと別体の第２のアームとを備え、前記釣り合い錘は、前記支持部材を支点とする前記顕微鏡取付け部側のモーメントとほぼ釣り合うモーメントが発生する重量を有し、前記支持部材は、前記第１のアームの水平方向への移動に連動して前記第２のアームを前記第１のアームの移動方向と反対方向かつ前記第１のアームの移動量と同量だけ水平方向へ移動させる連動手段を有することを特徴とする。
【００１１】
顕微鏡取付け部に顕微鏡を取り付けた状態でアームを繰り出すと、先端に釣り合い錘りが設けられた第２のアームがアームとは反対の方向に移動するので、顕微鏡側のモーメントと釣り合い錘り側のモーメントとの釣り合いが常に一定に保持される。そのため、アームを最も繰り出したときの顕微鏡側のモーメントより十分大きなモーメントを発生させるように台座の重量を大きくしたり、台座を顕微鏡側へ大きく張り出したりする必要もない。
【００１２】
【発明の実施の形態】
以下この発明の実施の形態を図面に基づいて説明する。
【００１３】
図１はこの発明の第１の実施形態に係る顕微鏡用架台を示す側面図、図２は図１の一部を断面で示した一部断面図である。
【００１４】
図１に示す顕微鏡用架台は、台座１と、台座１に固定された垂直な支柱２と、先端に顕微鏡取付け装置３を有する第１の水平アーム４と、支柱２に設けられ、第１の水平アーム４を水平な方向に移動可能に支持する支持部材５と、支持部材５を任意の高さ位置に保持するストッパ６と、支持部材５に水平な方向に移動可能に支持され、顕微鏡取付け装置３とは反対側の先端に釣り合い錘り７が設けられた第２の水平アーム８とを備える。顕微鏡取付け装置３に顕微鏡９が取り付けられている。
【００１５】
支持部材５は、支柱２を中心に回転可能であり、かつストッパ６のねじ６ａを緩めた状態で、支柱５に沿って上下方向に移動可能である。したがって、第１の水平アーム４を上下させ、支柱２を中心に回転させ、かつ水平方向に移動させることにより、顕微鏡９を試料に対して任意の位置に位置させることができる。なお、両アーム４、８は支持部材５と共に回転及び上下動可能である。
【００１６】
さらに、第１の水平アーム４の水平方向への移動に連動して第２の水平アーム８を第１の水平アーム４とは反対の方向に移動させる歯車機構（連動手段）１０が設けられている（図２参照）。
【００１７】
歯車機構１０は、第１の水平アーム４及び第２の水平アーム８にそれぞれ設けられたラック１０ａ及び１０ｂと、支持部材５に回転可能に支持された歯車１０ｃとからなる。ラック１０ａは歯車１０ｃの下側に、ラック１０ｂは歯車１０ｃの上側にそれぞれ噛み合っている。
【００１８】
釣り合い錘り７の重量及び第２の水平アーム８上での設置位置は、第１の水平アーム４の任意の位置において顕微鏡９側のモーメントＭ１とほぼ釣り合うモーメントＭ２が釣り合い錘り７側で発生するように選ばれている。
【００１９】
次に、上記第１の実施形態の動作を説明する。
【００２０】
台座１を不図示の作業台上に置き、顕微鏡取付け部３に顕微鏡９を取り付けた状態で第１の水平アーム４を繰り出すと、先端に釣り合い錘り７が設けられた第２の水平アーム８が第１の水平アーム４とは反対の方向に同量移動するので、顕微鏡９側のモーメントＭ１と釣り合い錘り７側のモーメントＭ２との釣り合いが常に一定に保持される。そのため、第１の水平アーム４を最も繰り出したときの顕微鏡９側のモーメントより十分大きなモーメントを発生させるように台座１の重量を大きくしたり、台座１を顕微鏡９側へ大きく張り出したりする必要もない。
【００２１】
したがって、顕微鏡用架台全体の重量が軽減されて顕微鏡用架台の移動を容易に行なうことができ、大きな試料を作業台上に置いて観察することができ、かつ顕微鏡用架台の設置スペースが小さくてすむ。
【００２２】
また、上記第１の実施形態によれば、第１の水平アーム４の水平方向への移動に連動して第２の水平アーム８を第１の水平アーム４とは反対の方向に移動させる連動手段を、ラック１０ａ及び１０ｂと歯車１０ｃとからなる歯車機構１０で構成したことにより、ラック１０ａ、１０ｂの長さだけ両アーム４、８が水平方向に移動できるので、両アーム４、８の移動範囲を大きくとることができ、かつ製造が容易である。
【００２３】
次に、この発明の第２の実施形態に係る顕微鏡用架台を図３に基づいて説明する。
【００２４】
図３はこの発明の第２の実施形態に係る顕微鏡用架台を示す側面図である。なお、この実施形態の説明において上記第１の実施形態と同様の部位には同一の符号を付して重複した説明を省略する。
【００２５】
図３に示す顕微鏡用架台では、第１の水平アーム４の水平方向への移動に連動して第２の水平アーム８を第１の水平アーム４とは反対の方向に移動させる連動手段として、前記歯車機構１０に代えてリンク機構２０が設けられている。
【００２６】
リンク機構２０は、長孔２１ａ及び２１ｂを有し、支持部材５の側面に回転可能に支持されたリンク２１と、第１の水平アーム４に固定され、長孔２１ａに摺動可能に係合したピン２２と、第２の水平アーム８に固定され、長孔２１ｂに摺動可能に係合したピン２３とから構成されている。
【００２７】
長孔２１ａ及び２１ｂは同じ形状であり、リンク２１の回転中心２１ｃに関し対称に設けられている。
【００２８】
回転中心２１ｃからピン２２までの距離と、回転中心２１ｃからピン２３までの距離とは等しくなっている。
【００２９】
次に、上記第２の実施形態の動作を説明する。
【００３０】
ピン２２が長孔２１ａの右端にかつピン２３が長孔２１ｂの左端にそれぞれ係合した状態（この状態ではリンク２１は図３の位置から反時計方向に回動した位置にある）で第１の水平アーム４を繰り出すと、ピン２２、２３が長孔２１ａ、２１ｂ内を外側へ変位するにつれてリンク２１が時計方向に回動し、第２の水平アーム８が第１の水平アーム４と反対の方向に同量だけ繰り出される。これによって、顕微鏡９側のモーメントＭ１と釣り合い錘り７側のモーメントＭ２との釣り合いが常に一定に保持される。そのため、第１の水平アーム４を最も繰り出したときの顕微鏡９側のモーメントより十分大きなモーメントを発生させるように台座１の重量を大きくしたり、台座１を顕微鏡９側へ大きく張り出したりする必要もない。
【００３１】
したがって、顕微鏡用架台全体の重量が軽減されて顕微鏡用架台の移動を容易に行なうことができ、大きな試料を作業台上に置いて観察することができ、かつ顕微鏡用架台の設置スペースが小さくてすむ。
【００３２】
なお、上記各実施形態では、第１の水平アーム４及び第２の水平アーム８は共に水平方向に移動するように構成されているが、第１の水平アーム４及び第２の水平アーム８が共に水平方向に対して傾いた同じ方向に移動するように構成してもよい。
【００３３】
【発明の効果】
以上説明したように、請求項１記載の発明に係る顕微鏡用架台によれば、顕微鏡取付け部に顕微鏡を取り付けた状態で第１のアームを繰り出すと、先端に釣り合い錘が設けられた第２のアームが第１のアームの移動方向とは反対の方向に移動するので、顕微鏡側のモーメントと釣り合い錘側のモーメントとの釣り合いが一定に保持される。そのため、第１のアームを最も繰り出したときの顕微鏡側のモーメントより十分大きなモーメントを発生させるように台座重量を大きくしたり、台座を顕微鏡側へ大きく張り出したりする必要もない。したがって、移動が容易で、大きな試料を観察可能で、かつ設置スペースが小さくてすむ。
【図面の簡単な説明】
【図１】図１はこの発明の第１の実施形態に係る顕微鏡用架台を示す側面図である。
【図２】図２は図１の一部を断面で示した一部断面図である。
【図３】図３はこの発明の第２の実施形態に係る顕微鏡用架台を示す側面図である。
【図４】図４は従来例を示す側面図である。
【図５】図５は別の従来例を示す側面図である。
【図６】図６はさらに別の従来例を示す平面図である。
【図７】図７は図６の側面図である。
【符号の説明】
１  台座
２  支柱
３  顕微鏡取付け部
４  第１の水平アーム（アーム）
５  支持部材
７  釣り合い錘り
８  第２の水平アーム（第２のアーム）
１０  歯車機構（連動手段）
２０  リンク機構（連動手段）
【図１】
0003584301.tif 000002
【図２】
0003584301.tif 000003
【図３】
0003584301.tif 000004
【図４】
0003584301.tif 000005
【図５】
0003584301.tif 000006
【図６】
0003584301.tif 000007
【図７】
0003584301.tif 000008